(57)【特許請求の範囲】
【請求項１】
浴槽の２辺または３辺にそれぞれ設けられる各エプロン同士を、各エプロン裏面のボス部同士を一本の連結金具で接続して連結する浴槽エプロン同士の連結構造において、
横長の長尺エプロンの裏面の左右両端部に沿って縦列の複数の端部ボス部を設けるとともに、該長尺エプロンの裏面の左右両端部以外に縦列の複数の内部ボス部を設け、
前記長尺エプロンの複数の端部ボス部と、
前記長尺エプロンの左右何れか一方側の前記複数の端部ボス部と前記複数の内部ボス部を残して該長尺エプロンを切断して得られる横方向に短尺の短尺エプロンにおける前記複数の内部ボス部とを、
前記連結金具で連結する
ことを特徴とする浴槽エプロン同士の連結構造。
【発明の詳細な説明】
【技術分野】
【０００１】
本発明は、浴槽エプロン同士の連結構造に関するものである。
【背景技術】
【０００２】
従来、特許文献１に開示されているように、浴槽フランジ部下面にボスを形成して、Ｚ状の取付片をボルト止めし、エプロン裏面上部にボスを形成して、逆Ｌ状取付片をボルト止めし、両取付片の端部を嵌合させて、エプロンを着脱可能に浴槽に取り付ける構造が存在する。
【特許文献１】実開平３−８２０８５号公報
【発明の開示】
【発明が解決しようとする課題】
【０００３】
上記特許文献１に開示されている構造では、浴槽側の取付片とエプロン側の取付片が分割されており、エプロンの取り付け状態では、エプロンの上端と、浴槽フランジの先端の垂下片の下端が当接しているだけで、エプロンの固定が不安定であり、このようなエプロンの固定状態で輸送すると、輸送中にエプロンが外れたりしやすく、強固にエプロンを浴槽に固定する構造としては不向きなものであった。
【課題を解決するための手段】
【０００４】
本発明は上記従来の問題点に鑑み案出したものであって、浴槽エプロン同士を強固に連結できる連結構造を提供せんとするものであり、その請求項１の浴槽エプロン同士の連結構造は、浴槽の２辺または３辺にそれぞれ設けられる各エプロン同士を、各エプロン裏面のボス部同士を一本の連結金具で接続して連結する浴槽エプロン同士の連結構造において、
横長の長尺エプロンの裏面の左右両端部に沿って縦列の複数の端部ボス部を設けるとともに、該長尺エプロンの裏面の左右両端部以外に縦列の複数の内部ボス部を設け、
前記長尺エプロンの複数の端部ボス部と、
前記長尺エプロンの左右何れか一方側の前記複数の端部ボス部と前記複数の内部ボス部を残して該長尺エプロンを切断して得られる横方向に短尺の短尺エプロンにおける前記複数の内部ボス部とを、
前記連結金具で連結することである。
【発明の効果】
【０００５】
切断することにより寸法の異なる長尺エプロンと短尺エプロンをコストを低減させて製造することができ、この製造された長尺エプロンと短尺エプロンを浴槽の２辺または３辺にそれぞれ設けてコストを低減させることができ、また、短尺エプロンの内部ボス部に連結金具を取り付けて、連結金具で長尺エプロンに強固に連結することができ、エプロンを強固に固定することができるものとなる。
【実施例１】
【０００６】
以下、本発明の実施例を図面に基づいて説明する。
図１は、浴槽の平面図であり、図２は、図１の正面図、また図３は、図２の側面図である。
【０００７】
浴槽１には長尺エプロン２が長辺側に立設状に固定されており、この長尺エプロン２の浴槽１に対する固定状態は、図６の縦断面拡大図で示す。
浴槽１の上端には、外側へ略水平に突出してフランジ部１ａが一体形成され、このフランジ部１ａの先端には、下方側へ垂下されて垂下部１ｂが一体形成されている。また、フランジ部１ａの裏側には、下方向きに突出状にボス部１ｃが形成されている。
【０００８】
なお、浴槽１に固定される長尺エプロン２は、図４の正面図で、また図５の平面図で示すような構造となっており、長尺エプロン２の上端には、浴槽１側へ向けて凹み状に段部２ａが形成され、段部２ａから上方へ立ち上げて上端当接片２ｂが一体形成され、上端当接片２ｂの上端で略水平に折り曲げて上端係合片２ｃが形成されている。また、長尺エプロン２の横方向端部は浴槽１側へ湾曲状に折り曲げて側縁片２ｆが形成されている。
【０００９】
この長尺エプロン２の裏側に複数のボス部２ｄが浴槽１側へ突出状に形成されており、このボス部２ｄは、上端側の段部２ａの下方に横方向に間隔をおいて複数形成され、また、左右の側縁片２ｆ，２ｆ側には、縦方向に間隔をおいて上中下の３段に端部ボス部２ｄｔ，２ｄｔ，２ｄｔがそれぞれ形成され、また、横方向の中央部には、縦方向に２本のリブ２ｅ，２ｅが裏面に一体形成されて補強されており、このリブ２ｅ，２ｅの内側に沿ってそれぞれ上中下に内部ボス部２ｄ，２ｄ，２ｄが一体状に形成されている。
【００１０】
このような長尺エプロン２を浴槽１に固定するに際し、Ｌ字状断面の連結金具３が用いられ、この連結金具３は、横方向に長尺に形成されたものであっても、また横方向に配置されたボス部２ｄのそれぞれの位置で分割されたものであっても良く、図６のように、連結金具３の水平片３ａをビス４で浴槽１のフランジ部１ａの裏側のボス部１ｃに固定し、連結金具３の垂直片３ｂをビス４で長尺エプロン２の裏側のボス部２ｄに固定して、連結金具３で長尺エプロン２の上端を浴槽１のフランジ部１ａに連結固定できるものである。
【００１１】
この状態で、長尺エプロン２の段部２ａに浴槽１の垂下部１ｂの下端が当接し、長尺エプロン２の上端当接片２ｂが浴槽の垂下部１ｂの裏側に当接して、長尺エプロン２の上端係合片２ｃが、垂下部１ｂと連結金具３間に嵌め込まれた状態となり、強固な固定状態が得られ、長尺エプロン２の上端が連結金具３に当接して、それ以上内側に動くことはないため、長尺エプロン２の上端は浴槽１側へ動くことなく強固に固定され、しかも連結金具３が横方向に長尺のものである場合には、連結金具３の垂直片３ｂにエプロンの上端係合片２ｃが当接する面積が大となり、より強固な固定状態が得られるものとなる。
【００１２】
なお、本例では、エプロンの上端係合片２ｃが連結金具３の垂直片３ｂに当接している例を示しているが、浴槽のボス部１ｃの突出長さが大である場合には、このエプロンの上端係合片２ｃは浴槽のボス部１ｃに当接して、上端係合片２ｃが、ボス部１ｃと垂下部１ｂ間に強固に嵌め込まれることとなる。
【００１３】
なお、長尺エプロン２の横方向左右側の端部は、ステー５を介して浴槽１に固定されるものである。即ち、図７に拡大して示すように、浴槽１の裏面に固定部材６を固定しておき、この固定部材６にステー５の水平片５ａをビス４で固定し、この水平片５ａから傾斜する傾斜片５ｂの下端に垂直に一体形成されている垂直片５ｃを長尺エプロン２のボス部２ｄにビス４で固定することにより、ステー５を介して長尺エプロン２の左右両端側が強固に浴槽１に固定されるものである。
【００１４】
次に、図８の平面図で、また図９の正面図で、また図１０の側面図で示す浴槽１は、浴槽１の第１長辺１０１側には図１と同様な長尺エプロン２が取り付けられるものであり、第１短辺１０２には短辺側エプロン２Ｐが取り付けられるものである。
この浴槽１の第１短辺１０２側に取り付けられる短辺側エプロン２Ｐは、前記図４及び図５で示した長尺エプロン２を切断線Ｐで切断して作成されたものであり、図４及び図５で示すように、切断線Ｐで切断することにより、図示左側の黒塗り色部分を捨てれば、図示右側の白部分の横寸法を有する短辺側エプロン２Ｐが長尺エプロン２から容易に作成されるものであり、この場合、切断線Ｐは、その内側にリブ２ｅおよびボス部２ｄを残すような位置で切断されるものである。
【００１５】
このように切断線Ｐで長尺エプロン２を切断して得られた短辺側エプロン２Ｐは、ボス部２ｄに連結金具３を連結して、その上端が浴槽１の第１短辺１０２のフランジ部１ａに固定されるものであり、さらに、この短辺側エプロン２Ｐは長尺エプロン２とＤの部分で連結されるものである。即ち、このＤの連結部分は、図１３の平面断面図で拡大して示す。
【００１６】
長尺エプロン２の右端側の側縁片２ｆに、短辺側エプロン２Ｐの切断線Ｐを、隙間を埋めるためのクッション材８を介在させて当接させ、長尺エプロンの側縁片２ｆと短辺側エプロン２Ｐを面一状にして、短辺側エプロン２Ｐのボス部２ｄと長尺エプロン２の端部ボス部２ｄｔを連結金具７で連結することができる。
【００１７】
即ち、連結金具７は断面Ｌ字状に形成されており、図１４のように、縦方向に長尺に形成されたものであり、長片７ａと短片７ｂには、それぞれ上下方向に間隔をおいてビス４を通すビス孔７ｃ，７ｃ，７ｃが形成されている。
上下方向に３箇所の位置でビス４を用いて、短辺側エプロン２Ｐのボス部２ｄに連結金具７の長片７ａを固定し、連結金具７の短片７ｂを長尺エプロン２の端部ボス部２ｄｔに固定して、長尺エプロン２と短辺側エプロン２Ｐを連結金具７を介して強固に連結することができるものである。
【００１８】
なお、短辺側エプロン２Ｐを、図８に示す浴槽１の第２短辺１０４側に取り付ける場合は、図１１の正面図で、また図１２の平面図で示すように、長尺エプロン２を右側のリブ２ｅの外側の切断線Ｐで切断して、切断線Ｐの右側を捨て、左側の部分で短辺側エプロン２Ｐを得ることができ、この得られた短辺側エプロン２Ｐの切断線Ｐを長尺エプロン２の左端側の側縁片２ｆにクッション材８を介在させて当接させ、連結金具７で両者を連結できるものである。
【００１９】
このように１種類の長尺エプロン２を用意しておけば、適宜切断線Ｐで切断して短辺側エプロン２Ｐをコストを低減させて作成することができるものとなる。
また、長尺エプロン２と短辺側エプロン２Ｐは切断による手段の他に、金型で製造する際にも、長尺エプロン２と短辺側エプロン２Ｐを１つの金型で良好に製造することができるものである。
即ち、図１５及び図１６に示すような金型を用いて、入れ子型１２ａと１２ｂを入れ替えることで、コストを低減させて長尺エプロン２と短辺側エプロン２Ｐを作成できるものである。
【００２０】
即ち、図１５では、第１型１０と第２型１１と入れ子型１２ａにより、内部に長尺エプロン２を製作するためのキャビティＣが形成されている。
一方、図１６のような入れ子型１２ｂに入れ替えた時には、短辺側エプロン２Ｐを製作するためのキャビティＣが第１型１０と第２型１１間に形成されることとなる。
このように入れ子型１２ａと１２ｂを入れ替えることにより、１つの金型で長尺エプロン２と短辺側エプロン２Ｐをコストを低減させて製作しておくこともできるものである。
【実施例２】
【００２１】
次に、図１７の平面図で、また図１８の正面図で、また図１９の側面図で示す浴槽は、浴槽１の第１長辺１０１側には長尺エプロン２を固定し、第１短辺１０２側には、別の型で成形した短尺エプロン２Ｓを取り付けたものである。
この短尺エプロン２Ｓは、長尺エプロン２とは別型で製作されたものであり、図２０に正面図で、また図２１に平面図で示すような構造に形成されており、上端に段部２ａと上端当接片２ｂと上端係合片２ｃが一体形成されており、また、図示左端縁にも左方向へ突出して側段部２ｇと側当接片２ｈと側係合片２ｉが一体形成されている。
【００２２】
なお、短尺エプロン２Ｓの右端側には、浴槽側へ折れ曲がった側縁片２ｆが一体形成されており、この側縁片２ｆの内側には縦方向にリブ２ｅが形成され、このリブ２ｅの内側に縦方向に上中下の３段の位置に端部ボス部２ｄｔが一体形成されている。また、左端側の側段部２ｇの内側にも上中下３段の位置に端部ボス部２ｄｔが一体形成されている。また、上部の段部２ａの下方にも横方向に間隔をおいてボス部２ｄ，２ｄが一体形成されている。
【００２３】
この第２実施例における長尺エプロン２及び短尺エプロン２Ｓの上端は、図２２の縦断面拡大図で示すように、連結金具３を介して浴槽のフランジ部１ａの裏側に固定されるものであり、浴槽のフランジ部１ａの裏側に形成されているボス部１ｃにビスで連結金具３を固定し、長尺エプロン２のボス部２ｄにもビスで連結金具３を固定して連結し、エプロン２の上端係合片２ｃを、浴槽の垂下部１ｂとボス部１ｃ間に強固に嵌め込み状に固定できるものである。なお、上端係合片２ｃとフランジ部１ａ間には、止水及び接着用のシリコン１３を充填させておくこともできる。
このようにして長尺エプロン２及び短尺エプロン２Ｓの上端は、動くことのないように強固に嵌め込んで浴槽１に固定されるものである。
【００２４】
また、短尺エプロン２Ｓと長尺エプロン２は、Ｄの部分で連結されるものであり、このＤの部分の拡大断面平面図を図２３に示し説明すると、長尺エプロン２の右端の側縁片２ｆの先端が短尺エプロン２Ｓの側段部２ｇに当接し、短尺エプロン２Ｓの側当接片２ｈが長尺エプロン２の側縁片２ｆの内側に当接して、短尺エプロン２Ｓの側係合片２ｉが、長尺エプロンの側縁片２ｆと端部ボス部２ｄｔ間に嵌め込み状にされ、この状態で短尺エプロン２Ｓの端部ボス部２ｄｔと長尺エプロン２の端部ボス部２ｄｔ間に、縦方向に長い図１４に示すような連結金具７が、それぞれビスで端部ボス部２ｄｔに固定されて、連結金具７により強固に長尺エプロン２と短尺エプロン２Ｓが連結されるものである。
【００２５】
なお、長尺エプロン２の左端側と短尺エプロン２Ｓの他端側は、それぞれステー５を用いて浴槽１側に図７に示すように強固に固定されるものである。
このような長尺エプロン２と短尺エプロン２Ｓを用いて、浴槽１の２辺に、所謂２方エプロンを設けることができ、さらには、図２４の平面図で、また図２５の正面図で、また図２６の側面図で示すように、浴槽の第２長辺１０３側にも長尺エプロン２を取り付けて、所謂３方エプロンの浴槽１とすることもできる。
【００２６】
図２４，図２５，図２６の３方エプロンの浴槽１では、第１長辺１０１と第２長辺１０３には、前記図４，図５で示した同一形状の長尺エプロン２をそれぞれ用いることができ、また、第１短辺１０２には前述した図２０，図２１で示した短尺エプロン２Ｓを用いることができるものである。
唯、３方エプロンの場合には、短尺エプロン２Ｓと第２長辺１０３側に設けられる長尺エプロン２の端部との接続部Ｅの部分では、短尺エプロン２Ｓの側縁片２ｆが邪魔になるため、図２０に示すように、切断線Ｐで切断して側縁片２ｆの部分を無くした状態で、短尺エプロン２Ｓが長尺エプロン２に図２７の平面拡大図で示すような構造で連結される。
【００２７】
即ち、切断線Ｐで切断した短尺エプロン２Ｓを図２７に示すように、切断線Ｐをクッション材８を介在させて隙間を埋めて長尺エプロン２の側縁片２ｆに当接させ、長尺エプロン２の端部ボス部２ｄｔと短尺エプロン２Ｓの端部ボス部２ｄｔを縦方向に長い連結金具７で強固に連結することができるものである。
なお、この場合、切断線Ｐの内側にはリブ２ｅが形成されているため、短尺エプロン２Ｓの強度が落ちることはなく、リブ２ｅにより良好な強度が確保されるものである。
【００２８】
なお、連結金具７は縦方向に長尺なものに代えて、縦方向に３分割されたものを用いても良い。
なお、図２０及び図２１に示す短尺エプロン２Ｓは切断して形成する他に、図１５及び図１６に示したように、入れ子型の入れ替えにより、切断前の形状のものと切断後の形状のものを形成させることもできる。
【図面の簡単な説明】
【００２９】
【図１】浴槽の平面構成図である。
【図２】図１の正面構成図である。
【図３】図２の側面構成図である。
【図４】長尺エプロンの正面構成図である。
【図５】長尺エプロンの平面構成図である。
【図６】エプロンの上端を浴槽に固定させた縦断面拡大構成図である。
【図７】エプロンの横方向端部をステーで浴槽に固定させた縦断面拡大構成図である。
【図８】２方エプロンの浴槽の平面構成図である。
【図９】図８の正面構成図である。
【図１０】図９の側面構成図である。
【図１１】切断個所の異なる長尺エプロンの正面構成図である。
【図１２】図１１の平面構成図である。
【図１３】図８におけるＤの部分の拡大平面断面構成図である。
【図１４】長尺な連結金具の斜視構成図である。
【図１５】長尺エプロンを作成する金型の概略断面構成図である。
【図１６】短辺側エプロンを作成するための金型の断面概略構成図である。
【図１７】第２実施例の浴槽の平面構成図である。
【図１８】図１７の正面構成図である。
【図１９】図１８の側面構成図である。
【図２０】短尺エプロンの正面構成図である。
【図２１】図２０の平面構成図である。
【図２２】エプロンの上端を浴槽に固定させた縦断面拡大構成図である。
【図２３】長尺エプロンと短尺エプロンの連結状態を示す平面拡大構成図である。
【図２４】３方エプロンの浴槽の平面構成図である。
【図２５】図２４の正面構成図である。
【図２６】図２５の側面構成図である。
【図２７】図２４におけるＥ部の拡大平面断面構成図である。
【符号の説明】
【００３０】
１  浴槽
１ａ  フランジ部
１ｂ  垂下部
１ｃ  ボス部
２  長尺エプロン
２ａ  段部
２ｂ  上端当接片
２ｃ  上端係合片
２ｄ  ボス部
２ｄｔ  端部ボス部
２ｅ  リブ
２ｆ  側縁片
２ｇ  側段部
２ｈ  側当接片
２ｉ  側係合片
２Ｐ  短辺側エプロン
２Ｓ  短尺エプロン
３，７  連結金具
４  ビス
５  ステー
８  クッション材
１０  第１型
１１  第２型
１２ａ，１２ｂ  入れ子型
【図１】
0004832958.tif 000002
【図２】
0004832958.tif 000003
【図３】
0004832958.tif 000004
【図４】
0004832958.tif 000005
【図５】
0004832958.tif 000006
【図６】
0004832958.tif 000007
【図７】
0004832958.tif 000008
【図８】
0004832958.tif 000009
【図９】
0004832958.tif 000010
【図１０】
0004832958.tif 000011
【図１１】
0004832958.tif 000012
【図１２】
0004832958.tif 000013
【図１３】
0004832958.tif 000014
【図１４】
0004832958.tif 000015
【図１５】
0004832958.tif 000016
【図１６】
0004832958.tif 000017
【図１７】
0004832958.tif 000018
【図１８】
0004832958.tif 000019
【図１９】
0004832958.tif 000020
【図２０】
0004832958.tif 000021
【図２１】
0004832958.tif 000022
【図２２】
0004832958.tif 000023
【図２３】
0004832958.tif 000024
【図２４】
0004832958.tif 000025
【図２５】
0004832958.tif 000026
【図２６】
0004832958.tif 000027
【図２７】
0004832958.tif 000028